(57)【要約】【課題】野菜室の乾燥を防止すると共に、結露を抑制することができる冷蔵庫を提供する。【解決手段】野菜室の天井部に設けられた天井風路１０と、天井風路１０と野菜室とを仕切る仕切り部材１５と、仕切り部材１５の内部または上面に設けられた良熱伝導性部材１４と、を備え、天井風路１０は、冷蔵室の戻り冷気が流れ、野菜室を輻射冷却する野菜室用冷却風路１９と、野菜室の戻り冷気が流れる野菜室用戻り風路２０と、野菜室用冷却風路１９と野菜室用戻り風路２０とが合流する合流部２１と、合流部２１から冷蔵室と野菜室の戻り冷気が冷却器に戻る戻り風路２２と、を有し、仕切り部材１５の一部を開口し、良熱伝導性部材１４を野菜室側に露出させた露出部１６を設け、露出部１６は、野菜室の扉側に配置する。【選択図】図３
2014020739.tif 000002
【特許請求の範囲】
【請求項１】
冷蔵室と、
野菜室と、
前記冷蔵室および前記野菜室を含む貯蔵室を冷却する冷却器と、
前記野菜室の天井部に設けられた天井風路と、
前記天井風路と前記野菜室とを仕切る仕切り部材と、
前記仕切り部材の内部または上面に設けられた熱伝導性部材と、
を備え、
前記天井風路は、
前記冷蔵室の戻り冷気が流れ、前記野菜室を輻射冷却する野菜室用冷却風路と、
前記野菜室の戻り冷気が流れる野菜室用戻り風路と、
前記野菜室用冷却風路と前記野菜室用戻り風路とが合流する合流部と、
前記合流部から前記冷蔵室と前記野菜室の戻り冷気が前記冷却器に戻る戻り風路と、
を有し、
前記仕切り部材の一部を開口し、前記熱伝導性部材を前記野菜室側に露出させた露出部を設け、
前記露出部は、前記野菜室の扉側に配置した
ことを特徴とする冷蔵庫。
【請求項２】
前記合流部は、前記野菜室用冷却風路、前記野菜室用戻り風路、前記戻り風路のいずれよりも狭い風路となっている
ことを特徴とする請求項１記載の冷蔵庫。
【請求項３】
前記熱伝導性部材の材料がアルミニウムである
ことを特徴とする請求項１または２記載の冷蔵庫。
【請求項４】
前記天井風路を構成する各風路の壁を前記熱伝導性部材と一体に形成した
ことを特徴とする請求項１〜３のいずれか一項に記載の冷蔵庫。
【発明の詳細な説明】
【技術分野】
【０００１】
本発明は、冷蔵庫に関し、特に、野菜室の構造に関するものである。
【背景技術】
【０００２】
野菜などの青果物の多くは、水分を９０％以上含んでおり、一般に、その約５％を失うと、商品価値がないといわれている。乾燥による水分喪失は、重量減少、しなびなど、品質低下の原因となる。したがって、野菜は、乾燥を抑制することが、鮮度保持において重要となる。
【０００３】
このような背景のもとに、直接冷気を入れずに、野菜室内を間接冷却することで、乾燥を抑制するものが提案されている。例えば、特許文献１は、内面が野菜室壁面の少なくとも一部を形成し、その外面が野菜室以外の貯蔵室内を循環する冷気に接触するように配置した、良熱伝導体からなる冷却パネルにより、前記野菜室内を自然対流で冷却することで、冷気の吹きつけによる野菜室の乾燥を防ぐこととしている。
【０００４】
しかし、特許文献１の構成では、野菜室内の空気に含まれる水分が、庫内に結露する問題に対して考慮されておらず、結露した水滴が落下し、野菜類に接触することで、菌やカビの増殖を促進する可能性がある。すなわち、前記冷却パネルは全面が野菜室に露出した構成となっているため、冷却パネルの野菜室の扉側と背面側とで温度差が大きくなるので、結露しやすい構造となっている。
【０００５】
また、特許文献２では、野菜室上方に、製氷室を冷却した冷気が通過する野菜室上面風路を設け、その一部に熱伝導の良好な金属板を備え、前記野菜室上面風路の表面から間接的に野菜室を冷却することで乾燥を防ぐと共に、前記野菜室上面風路の一部に直径２ｍｍ以下の開口部を複数備え、前記野菜室上面風路を通過する冷気の一部を直接野菜室内に流入させることで、結露を防ぐ構造が提案されている。
【０００６】
しかし、特許文献２の結露防止策では、製氷室からの冷気が常に野菜室内に流れることになり、冷気が野菜類に吹き付けられることで、乾燥が進んでしまう可能性がある。すなわち、野菜室背面側に前記開口部が設けられているので、野菜室内の冷気および製氷室からの冷気が野菜室上面風路の開口部を通じて循環することになり、野菜室の乾燥が進むことになる。
【先行技術文献】
【特許文献】
【０００７】
【特許文献１】特開２００８−１２１９３９号公報
【特許文献２】特開２００６−２９９９号公報
【発明の概要】
【発明が解決しようとする課題】
【０００８】
本発明は、上記のような問題を解決するためになされたものであり、野菜室の乾燥を防止すると共に、結露を抑制することができる冷蔵庫を提供することを目的とする。
【課題を解決するための手段】
【０００９】
本発明に係る冷蔵庫は、冷蔵室と、野菜室と、冷蔵室および野菜室を含む貯蔵室を冷却する冷却器と、野菜室の天井部に設けられた天井風路と、天井風路と野菜室とを仕切る仕切り部材と、仕切り部材の内部または上面に設けられた熱伝導性部材と、を備え、天井風路は、冷蔵室の戻り冷気が流れ、野菜室を輻射冷却する野菜室用冷却風路と、野菜室の戻り冷気が流れる野菜室用戻り風路と、野菜室用冷却風路と野菜室用戻り風路とが合流する合流部と、合流部から冷蔵室と野菜室の戻り冷気が冷却器に戻る戻り風路と、を有し、仕切り部材の一部を開口し、熱伝導性部材を野菜室側に露出させた露出部を設け、露出部は、野菜室の扉側に配置したものである。
【発明の効果】
【００１０】
本発明に係る冷蔵庫は、野菜室の天井部に設けられた天井風路が上記のように構成されているので、この天井風路に冷蔵室の戻り冷気を導入することにより、野菜室を輻射冷却するため、野菜室の乾燥を防止することができる。また、野菜室の戻り冷気は天井風路の合流部にて冷蔵室の戻り冷気と混ぜて冷却器に戻るため、野菜室の乾燥が進むことはなく、冷却器の効率悪化や霜付を抑制することができる。さらにまた、仕切り部材の一部を開口し、熱伝導性部材を野菜室側に露出させた露出部を設け、露出部は野菜室の扉側に配置したので、この露出部から野菜室扉側の高い温度の熱を吸熱することで、野菜室の天井面すなわち仕切り部材の下面の温度分布を均一化することができるため、野菜室天井面における結露を抑制することができる。
【図面の簡単な説明】
【００１１】
【図１】本発明の実施の形態に係る冷蔵庫の正面図。
【図２】本発明の実施の形態に係る冷蔵庫における冷蔵庫風路の正面図。
【図３】本発明の実施の形態に係る野菜室の側面断面図。
【図４】本発明の実施の形態に係る冷蔵庫における野菜室の天井部に設けられた天井風路の上面図。
【発明を実施するための形態】
【００１２】
以下、本発明に係る冷蔵庫１の実施の形態について図面を参照して説明する。なお、以下に示す図面は冷蔵庫１および冷蔵庫１の各部の構成を模式的にあらわしたものであり、本発明は図示のものに限定されるものではない。
【００１３】
図１は、本発明の実施の形態に係る冷蔵庫１の正面図である。
この実施の形態に係る冷蔵庫１は、最上部に開閉ドアを備えて配置され、食品等を冷却貯蔵する冷蔵室１００と、冷蔵室１００の下方に冷凍温度帯（−１８℃）やソフト冷凍（−７℃）の温度帯に切り替えることができる引き出しドアを備えた切替室２００と、切替室２００と並列に配置される引き出しドアを備え、製氷および製氷された氷を貯蔵する製氷室３００と、切替室２００と製氷室３００の下方に配置される引き出しドアを備え、食品等を冷凍保存する冷凍室４００と、最下部に配置される引き出しドアを備え、野菜類を貯蔵する野菜室５００とから構成されている。また、冷蔵室１００の扉表面には、各室の温度や設定を調節する操作スイッチと、各室の温度などを表示する液晶表示部などから構成される操作パネル３０が設けられている。なお、操作パネル３０は冷蔵庫１の中、例えば冷蔵室１００の内部側面に設置されていても構わない。また、冷蔵庫１の形態はこれにかかわらず、例えば切替室２００、製氷室３００がないものなど、特に冷蔵庫の形態には限定されない。また、冷蔵室１００、野菜室５００以外の切替室２００、製氷室３００および冷凍室４００の各部屋を貯蔵室というものとする。
【００１４】
図２は、本発明の実施の形態に係る冷蔵庫１における冷蔵庫風路の正面図である。
冷却器２によって冷却された冷気は、送風ファン３により、各吹出し風路（製氷室用吹出し風路４、冷蔵室用吹出し風路５、切替室用吹出し風路６、冷凍室用吹出し風路７、野菜室用吹出し風路８）を通過し、各部屋に吹き出される。また、冷蔵室１００からの戻り冷気は冷蔵室用戻り風路９を通過し、野菜室天井部に設けられた天井風路１０にて、野菜室冷気戻り口１１から流入される野菜室戻り冷気と合流し、冷却器２に戻る。
【００１５】
次に、野菜室５００の構成についてさらに詳しく説明する。
図３は、本発明の実施の形態に係る野菜室５００の側面断面図を示しており、図４は、野菜室５００の天井部に設けられた天井風路１０の上面図を示している。
野菜室５００には、開閉可能な引き出しドア１７に連動して引き出される野菜ケース１３と、野菜ケース１３の上に配置されるフルーツケース１２とが設置されている。野菜室５００と冷凍室４００との間には断熱材１８が設置されており、断熱材１８の下部には、野菜室の天井部を構成する、断熱材とプラスチックの外皮とからなる仕切り部材１５が設置されている。そして、この断熱材１８と仕切り部材１５とで形成される空間に、以下に説明する天井風路１０が形成されている。
【００１６】
また、仕切り部材１５の内部または上面には、熱伝導性の良好な良熱伝導性部材１４が設置されている。さらに、仕切り部材１５のプラスチック外皮を一部分開口させ、良熱伝導性部材１４を部分的に野菜室５００側に露出させた露出部１６を野菜室５００の扉（引き出しドア１７）側に設けている。この良熱伝導性部材１４は、例えばアルミニウムであったり、ステンレス等の金属であったりと、材料によって限定されるものではない。
【００１７】
天井風路１０は、図３および図４に示すように、冷蔵室１００の戻り冷気が流入し、野菜室５００を輻射冷却する野菜室用冷却風路１９と、野菜室冷気戻り口１１から流入する野菜室の戻り冷気が通る野菜室用戻り風路２０と、野菜室用冷却風路１９と野菜室用戻り風路２０とが合流する合流部２１と、合流部２１から冷蔵室１００および野菜室５００の戻り冷気が冷却器２に戻る戻り風路２２とから構成されている。また、図４の点線で示す部分は、各風路（野菜室用冷却風路１９、野菜室用戻り風路２０、合流部２１、戻り風路２２）の壁をあらわしている。
なお、野菜室５００の天井部に設けられる上記風路構成の天井風路１０は、通常、仕切り部材１５と一体形成により設けられるが、上記断熱材１８の下面に一体形成で設けてもよい。
【００１８】
次に動作について説明する。
野菜室５００は、冷蔵室１００からの戻り冷気が冷蔵室用戻り風路９を通り、天井風路１０の野菜室用冷却風路１９に流入し、戻り風路２２を通ることで、輻射冷却される。このとき、冷蔵室１００からの戻り冷気は、天井風路１０の仕切り部材１５の上面に設置された良熱伝導性部材１４に接触しながら野菜室用冷却風路１９および戻り風路２２を通るので、効率よく野菜室５００に対して輻射冷却を行うことができる。
【００１９】
また、冷却器２からの冷気は、野菜室用吹出し風路８を通り、野菜室５００に吹き出され、フルーツケース１２や野菜ケース１３の周りを循環し、その後、野菜室冷気戻り口１１を通り、天井風路１０の野菜室用戻り風路２０に流入される。これにより、外気温度が高いときなどにおいて野菜室用冷却風路１９による輻射冷却だけでは冷却能力が不十分な場合においても、野菜類を適切な温度で保存することが可能となる。
【００２０】
天井風路１０に流入された冷蔵室戻り冷気と野菜室戻り冷気とは、合流部２１にて合流し、戻り風路２２を通り、冷却器２に戻る。この際、温度の高い野菜室戻り冷気は温度の低い冷蔵室戻り冷気と混ざることで、冷却器２の効率悪化や霜付を抑制することが可能となる。また、合流部２１は、野菜室用冷却風路１９、野菜室用戻り風路２０、戻り風路２２のいずれよりも狭い風路の構造となっており、野菜室用吹出し風路８や冷蔵室用戻り風路９から野菜室５００への冷気流入がない場合においても、冷却器２からの冷気が戻り風路２２や野菜室用戻り風路２０を通り、野菜室５００に逆流することを防止する。これにより、逆流した冷気により、野菜類が乾燥することもない。
【００２１】
一般に、冷蔵庫１の庫内では、外気と隣接している扉に近い前側では、温度が高く、冷却器２や各室で吹出し風路が配置されている背面側で温度が低くなっている。これは、冷蔵庫１の各室で同様の傾向にあり、野菜室５００でも同様の温度分布が生じる。また、野菜室５００は、野菜室用冷却風路１９と戻り風路２２とによる天井面（仕切り部材１５の下面をいう。以下、同じ。）からの輻射冷却により冷却されているため、天井面が扉側に比べて温度が低い構成となっている。したがって、野菜室５００に大量の野菜が投入されるなど、野菜室５００の湿度が急激に上昇した場合には、天井面の特に背面側で、他の部分よりも温度が低くなり、結露が集中しやすい。
これに対し、本実施の形態の構成では、天井面に良熱伝導性部材１４を設置し、露出部１６を温度の上がりやすい扉付近に設けることで、良熱伝導性部材１４が効率良く吸熱を行い、野菜室天井面の温度を上昇させ、野菜室天井面の温度を均一にすることで、結露の発生を抑制することができる。また、結露発生時においても、野菜室の天井面の温度が均一であるため結露を天井面に広く分散させることができ、野菜類への滴下によるカビや菌の繁殖を防止し、野菜類を鮮度良く保持することが可能となる。
【００２２】
なお、上記の説明では、良熱伝導性部材１４を仕切り部材１５の内部に設置した場合について説明したが、良熱伝導性部材１４は仕切り部材１５の上面に設置してもよい。また、天井風路１０を構成する各風路（野菜室用冷却風路１９、野菜室用戻り風路２０、合流部２１、戻り風路２２）の壁を良熱伝導性部材１４と一体に形成してもよい。この場合、各風路の壁のフィン効果により、上記の輻射冷却効果および結露防止効果を向上させることができる。
【符号の説明】
【００２３】
１  冷蔵庫、２  冷却器、３  送風ファン、４  製氷室用吹出し風路、５  冷蔵室用吹出し風路、６  切替室用吹出し風路、７  冷凍室用吹出し風路、８  野菜室用吹出し風路、９  冷蔵室用戻り風路、１０  天井風路、１１  野菜室冷気戻り口、１２  フルーツケース、１３  野菜ケース、１４  良熱伝導性部材、１５  仕切り部材、１６  露出部、１７  引き出しドア、１８  断熱材、１９  野菜室用冷却風路、２０  野菜室用戻り風路、２１  合流部、２２  戻り風路、３０  操作パネル、１００  冷蔵室、２００  切替室、３００  製氷室、４００  冷凍室、５００  野菜室。
【図１】
2014020739.tif 000003
【図２】
2014020739.tif 000004
【図３】
2014020739.tif 000005
【図４】
2014020739.tif 000006